(57)【要約】【課題】旅行などの場合に、服を皺にならないように支え吊るして使用し、折りたたんで携帯し拡げて使用する携帯ハンガー１において、折りたたんだり拡げたりするのに手間がかからず、十分な強度を有するようにする。【解決手段】服を支えパイプ部材からなる支持部７の中央に、チェーン１１の先端にフック１３が取り付けられた吊下げ部９を設ける。支持部を複数に分割し互いに嵌合し取り外せる嵌合部１９として、小径パイプ部材１７が大径パイプ部材１５に挿入される構造を有する。これらパイプ部材１７，１５の内部にゴム紐を配置し、このゴム紐は、嵌合状態の維持を行い、取り外した状態で前記分割した部分を折りたためるのに十分な伸びを有する。大径パイプ部材１５の内部には小径パイプ部材１７の端部を止めるストッパー２１が設けられる。【選択図】図１
2004229863.tif 000002
【特許請求の範囲】
【請求項１】
服を支える支持部と、この支持部の中央に設けられる吊下げ部と、前記支持部を複数に分割し互いに嵌合し取り外せる嵌合部と、この嵌合部に設けられ嵌合状態の維持を行い、嵌合を外した状態で前記分割した部分を折りたためるのに十分な伸びを有するゴム体と、を有することを特徴とする携帯折りたたみハンガー。
【請求項２】
前記支持部はパイプ部材からなり、前記吊下げ部はチェーンの先端にフックが取り付けられたものであり、前記嵌合部は、小径パイプ部材が大径パイプ部材に挿入される構造を有し、大径パイプ部材の内部には小径パイプ部材の端部を止めるストッパーが設けられ、前記ゴム体は前記パイプ部材の内部に配置されるゴム紐であることを特徴とする請求項１に記載の携帯折りたたみハンガー。
【請求項３】
前記分割は２箇所で行われ、前記分割した部分は、中央分割部分と両端の端分割部分との３部分となることを特徴とする請求項１に記載の携帯折りたたみハンガー。
【発明の詳細な説明】
【０００１】
【発明の属する技術分野】
この発明は、折りたたんで携帯し拡げて使用する携帯折りたたみハンガーの構造に関する。
【０００２】
【従来の技術】
旅行などの場合に、服を皺にならないように支え吊るして使用するハンガーとして、折りたたんで携帯し拡げて使用する携帯ハンガーが、いろいろ提案されている。たとえば、ハンガーが中央で分割され、この分割部分で回動構造を有し、この回動により折りたたんだり拡げたりするもの（特開平０８−１６８４３３）、５つの輪状体が互いに隣り合って配置されてハンガーを構成し、この隣り合う部分が重なって嵌合できる構造を有し、この嵌合により折りたたんだり拡げたりするもの（特開平０９−２７６１１４）などがある。
【０００３】
【発明が解決しようとする課題】
しかしながら、上記従来技術のうち前者は２分割の構造なので十分に小さく折りたためない。３分割以上にしようとすると、拡げるのに手間がかかってしまい、回動構造が増えることで、強度も不足する恐れがある。後者は、５つの輪状体を嵌合して折りたたんだり拡げたりするのに手間がかかってしまうものであった。
【０００４】
この発明は、以上の課題を解決するためになされたもので、折りたたんだり拡げたりするのに手間がかからず、十分な強度を有する携帯折りたたみハンガーを提供することを目的とする。
【０００５】
【課題を解決するための手段】
以上の課題を解決するために、第一の発明は、服を支える支持部と、この支持部の中央に設けられる吊下げ部と、前記支持部を複数に分割し互いに嵌合し取り外せる嵌合部と、この嵌合部に設けられ嵌合状態の維持を行い、嵌合を外した状態で前記分割した部分を折りたためるのに十分な伸びを有するゴム体と、を有することを特徴とする携帯折りたたみハンガーである。
第二の発明は、前記支持部はパイプ部材からなり、前記吊下げ部はチェーンの先端にフックが取り付けられたものであり、前記嵌合部は、小径パイプ部材が大径パイプ部材に挿入される構造を有し、大径パイプ部材の内部には小径パイプ部材の端部を止めるストッパーが設けられ、前記ゴム体は前記パイプ部材の内部に配置されるゴム紐であることを特徴とする携帯折りたたみハンガーである。
【０００６】
第三の発明は、前記分割は２箇所で行われ、前記分割した部分は、中央分割部分と両端の端分割部分との３部分となることを特徴とする携帯折りたたみハンガーである。
【０００７】
【発明の実施の形態】
この発明の一実施の形態を、図１および図２に示す。
この携帯折りたたみハンガー１は、服３の肩部５を内部から支えるためアルミ製のパイプ部材からなる支持部７が、略水平方向に位置する。この支持部７の中央に、吊下げ部９が設けられる。この吊下げ部９はチェーン１１の先端にフック１３が取り付けられたものである。支持部７は、略水平方向に３つに分割される。中央分割部分は大径パイプ部材１５であり、両端の端分割部分は小径パイプ部材１７である。そして、分割位置で互いに嵌合し取り外せる嵌合部１９を有する。
【０００８】
これら嵌合部１９は、小径パイプ部材１７が大径パイプ部材１５に挿入される構造を有し、大径パイプ部材１５の内部には小径パイプ部材１７の嵌合側の端部を止めるストッパー２１が設けられる。ストパー１は大径パイプ部材１５を貫通して固定されるアルミ製棒である。
【０００９】
これらパイプ部材１７、１５、１７の内部には、長手方向に１本のゴム紐２３が配置される。このゴム紐２３は、嵌合部１９の嵌合状態の維持を行い、嵌合を外した状態で分割した部分を折りたためるのに十分な伸びを有する。ゴム紐２３の両端は、小径パイプ部材１７の外側端部を閉じるキャップ材２５の内側に固定される。ゴム紐２３はストッパー２１の脇を通ってパイプ部材１７、１５、１７の全体に配置される。
【００１０】
（実施形態の作用効果）
この携帯折りたたみハンガー１の使用に際しては、両端の小径パイプ部材１７の嵌合側の端部を、大径パイプ部材１５に挿入し嵌合すると、ゴム紐２３により嵌合方向への付勢がされ、かつ挿入された端部がストッパー２１に止められ嵌合状態が維持され、ハンガーが拡げられる。
【００１１】
この拡げた状態で、フック１３をたとえば室内のラックやバーに引っ掛けて使用する。さらに、このバーの径などが大きいときは、チェーン１１をループ状にして使用することも出来る。すなわち、チェーン１１をバーなどに巻いて、チェーン１１の先端のフック１３を、チェーン１１の途中の部分に引っ掛けて使用する。
【００１２】
また、ハンガー１を折りたたむときは、両端の小径パイプ部材１７の嵌合側の端部を、ゴム紐２３の付勢力に抗して、大径パイプ部材１５から引っ張って嵌合を外せばに、３つの部分（１７、１５、１７）に分割して折りたたむことが出来る。そして、折りたたんだ状態で各部分（１７、１５、１７）をチェーン１１で巻いて、最後にフック１３をチェーン１１の一部に引っ掛けることで、折りたたんだ状態をコンパクトにすることが出来る。
【００１３】
以上のように、この実施形態によれば、ゴム紐２３が嵌合状態を維持する方向への付勢を行うので拡げるのに手間がかからない。また、ゴム紐２３が十分な伸びを有し、嵌合を外しても各分割した部分（１７、１５、１７）をつないだままなので、分割した部分の扱いが容易で、簡単に折りたたむことができる。
【００１４】
また、パイプ部材１７、１５、１７の嵌合構造により強度を十分にできる。さらに、分割した部分を３部分とすることで、分割部分の数を多すぎないものにし強度を維持できるとともに、同数を少なすぎないものにし十分に小さくできる。
【００１５】
（他の実施形態）
以上の実施形態では、支持部７は直線的な形状をしていた（図１（Ａ）参照）が、他の実施形態では、多様な形状を採用できる（図３、図４）。すなわち、服の肩部に合わせて支持部７の両端の形状を屈曲（２７）させ丸くすることも出来る（図２）。一般的なハンガーの形状とすることも出来る（図４参照）。
【００１６】
また、以上の実施形態では、分割する数は３つであったが、他の実施形態では、２、又は４以上とすることも出来る。たとえば図４のように、４つに分割することも可能である。すなわち、全体がループ上のハンガーを、中央の上下二つの中央分割部分１５Ａ、１５Ｂと、これら二つの中央分割部分１５Ａ、１５Ｂを左右においてつなぐ二つの略Ｕ字状の端分割部分１７Ａと、合計４つに分割できる。また、上下の中央分割部分１５Ａ、１５Ｂを別のチェーン２９でつなぐことで、これらがばらばらになってしまわないようにする。
【００１７】
また、以上の実施形態では、嵌合部はストパーがアルミ製棒であったが、他の実施形態では他のいろいろなストパーを採用できる。たとえば大径パイプ部材の嵌合部分を絞って段差を作り奥側を狭くする構造とすることで、この段差部分により小径パイプ部材の端部が止められる。
【００１８】
【発明の効果】
以上説明したように、第一、第二、または第三の発明によれば、分割した部分の嵌合部にゴム体を設け、このゴム体は、嵌合状態の維持を行うことができ、嵌合を外した状態で分割した部分を折りたためるのに十分な伸びを有するものを使用する。よって、ゴム体が嵌合状態を維持する方向への付勢を行うので拡げるのに手間がかからない。また、ゴム体が十分な伸びを有し、嵌合を外しても各分割した部分をつないだままなので、分割した部分の扱いが容易で、簡単に折りたたむことができる。また、嵌合構造により強度を十分にできる。
【００１９】
また、第二の発明によれば、さらに、パイプ部材やゴムひも等からなる簡単な構造で、ハンガーのコストを抑えることが出来る。また、折りたたんだ状態で各分割した部分を、チェーンで巻いてコンパクトにすることが出来る。
また、第三の発明によれば、さらに、分割した部分を３部分とすることで、強度を維持でき、十分に小さくできる。
【図面の簡単な説明】
【図１】この発明の一実施形態にかかるハンガーを示す図で
（Ａ）はハンガーを拡げた全体図
（Ｂ）はハンガーをたたんだ全体図である。
【図２】図１（Ａ）の要部の縦断面図である。
【図３】第二実施形態にかかるハンガーを示す全体図である。
【図４】第三実施形態にかかるハンガーを示す全体図である。
【符号の説明】
１    携帯折りたたみハンガー
３    服
５    肩部
７    支持部
９    吊下げ部
１１  チェーン
１３  フック
１５  大径パイプ部材
１７  小径パイプ部材
１９  嵌合部
２１  ストッパー
２３  ゴム紐
２５  キャップ材
２７  屈曲部
２９  チェーン
【図１】
2004229863.tif 000003
【図２】
2004229863.tif 000004
【図３】
2004229863.tif 000005
【図４】
2004229863.tif 000006